(57)【特許請求の範囲】
【請求項１】
発光管の内部に一対の電極が配置され、当該発光管の外表面にトリガーワイヤーが配設されたショートアーク型放電ランプにおいて、
前記トリガーワイヤーは、当該トリガーワイヤーを発光管の外表面に取り付ける際に弾性的に変形して発光管に巻き付き固定される環状部と、この環状部の一端側に繋がり前記発光管の管軸方向に伸びる一方の張渡部と、この環状部の他端側に繋がり前記発光管の管軸方向に伸びる他方の張渡部とを有していることを特徴とするショートアーク型放電ランプ。
【発明の詳細な説明】
【０００１】
【発明が属する技術分野】
本発明は、例えば、映写機用の光源として使用されるキセノンが封入されたショートアーク型放電ランプや、半導体露光の光源として使用される水銀が封入されたショートアーク型放電ランプに関するものである。
【０００２】
【従来の技術】
例えば、キセノンが封入されたシートアーク型放電ランプは、ブレークダウン電圧が３０ＫＶ以上になることがあり、点灯装置の電圧負担が相当高くなり、点灯装置から印加する起動電圧のリークによる問題、また、点灯装置の大型化やコストの上昇という問題がある。
このような事情から、発光管の外表面にトリガーワイヤーを配設して、ランプのブレークダウン電圧を下げることが行われている。
【０００３】
図４は、発光管の外表面にトリガーワイヤーを配設した従来のショートアーク型放電ランプの説明図である。
発光管１１の内部に一対の陽極２１と陰極２２が配置されており、発光管１１の外表面には、トリガーワイヤー５が配設されている。
【０００４】
トリガーワイヤー５は、発光管１１の外表面に接触する環状部５１が形成され、この環状部５１に接続されランプの長手方向に伸びる張渡部５２が形成され、この張渡部５２の一部が発光管１１に続く側管部１２に巻き回して固定され、張渡部５２の端部の口金４２に接続している。
【０００５】
図５は、トリガーワイヤー５のみを取り出した斜視図であり、切れ目のない環状に形成された環状部５１の一部に張渡部５２が溶接等によって接続されている。また、環状部５１は、力が加わると変形する程度に弾性を有するものであるが、環状部５１を構成している線状部材の長さは常に一定であり変わるものではない。
この環状部５１は、発光管１１に取り付ける前の状態では、環状部５１の径ｄは、図４に示す発光管１１の最大径Ｄより小さいものであり、環状部５１を口金４１の方向からランプに挿入することにより、発光管１１の外表面に環状部５１が接触して係止されて固定されるものである。
【０００６】
図６は、トリガーワイヤーの巻方が異なる従来のショートアーク型放電ランプの説明図である。
発光管１１には、排気管残部１ａが形成されている。
トリガーワイヤー５は、一端側が排気管残部１ａに巻き回して固定される固定部５０が形成され、この固定部５０に続きランプの長手方向に伸びる張渡部５２が形成され、この張渡部５２の一部が発光管１１に続く側管部１２に巻き回して固定され、張渡部５２の端部が一方の口金４２に接続している。
【０００７】
【発明が解決しようとする課題】
しかしながら、図４に示す、環状部５１が切れ目なく繋がっており、さらに、環状部５１を構成している線状部材の長さが変わらないトリガーワイヤー５では、図７に示すランプのように、トリガーワイヤー５の環状部５１が挿入される方向の口金４１に、ランプを装置に固定する際の取り付け部となる大径の取付部４１ａが形成され、この取付部４１ａの径Ｄ’が、発光管１１の最大径Ｄより大きい場合、トリガーワイヤー５の環状部５１の径はもともと発光管３１の最大外径より小さい構造であるので、環状部５１を口金４１の方向からランプに挿入することができないという問題がある。
【０００８】
この場合、図８に示すように、反対方向の口金４２より、環状部５１をランプに挿入し、環状部５１を発光管１１の外表面に配設し、張渡部５２の端部を口金４１に接続することとなる。
しかし、トリガーワイヤー５が口金４１を介して電気的に繋がっている陽極２１とは反対側であって、トリガーワイヤー５とは電気繋がっていない方の陰極２２に高電圧が印加される点灯方法では、高電圧がトリガーワイヤー５に印加されないためトリガー機能が十分に働かず、必然的にこのような点灯方法を採用するランプでは、最適な状態でトリガーワイヤーを配設することができないという問題があった。
【０００９】
また、図６に示すランプでは、トリガーワイヤー５の固定のために排気管残部１ａを有しているが、排気管残部１ａを有しないランプでは、図６に示すようなトリガーの発光管への巻付け方法を採用することができないという問題があった。
【００１０】
また、発光管にトリガーワイヤーを配設する際に、図５に示すように予めトリガーワイヤーの形状を所定の形状に整形しておくのではなく、トリガーワイヤーとなる１本の線状部材を発光管の外表面で屈曲させて取り付け方法もある。
この場合、便宜上図４を用いて説明すると、１本の線状部材を環状に屈曲させ環状部５１を構成し、その後、ペンチ等の工具を用いて環状部５１の端を折り曲げ、環状部５１が切れ目なく繋がり、環状部５１を構成する線状部材の長さが変わらないように線状部材を捻り、この捻り部分に続き張渡部５２を形成することもできる。
【００１１】
このように、トリガーワイヤーとなる１本の線状部材を発光管の表面で屈曲させて取り付け方法を用いると、陽極、陰極どちらの電極に高電圧が印加されても最適な方向性をもってトリガーワイヤーを発光管に配設することが可能となる。しかし、１本の線状部材を発光管の表面で環状に曲げたり、捻ったりする作業を行うことが必要であり、発光管の表面に工具が接触し傷がつくという問題がった。
【００１２】
同じように、図６に示すトリガーワイヤー５の場合も、排気管残部１ａにトリガーワイヤー５を固定する場合に、発光管１１の表面に工具が接触し傷がつくという問題がった。
【００１３】
そこで本発明は、上記の問題に鑑みてなされたものであって、発光管の最大外径より大きな径の口金を有するランプであってもトリガーワイヤーを配設することができ、しかも、点灯時に高電圧が印加される電極の方向性に適した状態でトリガーワイヤーを配設することができ、さらに、発光管に排気管残部がなくても発光管にトリガーワイヤーが最適な位置に配設され、トリガーワイヤーを発光管に取り付ける際に発光管が傷つかないショートアーク型放電ランプを提供することにある。
【００１４】
【課題を解決するための手段】
上記課題を解決するために、請求項１に記載のショートアーク型放電ランプは、発光管の内部に一対の電極が配置され、当該発光管の外表面にトリガーワイヤーが配設されたショートアーク型放電ランプにおいて、前記トリガーワイヤーは、当該トリガーワイヤーを発光管の外表面に取り付ける際に弾性的に変形して発光管に巻き付き固定される環状部と、この環状部の一端側に繋がり前記発光管の管軸方向に伸びる一方の張渡部と、この環状部の他端側に繋がり前記発光管の管軸方向に伸びる他方の張渡部とを有していることを特徴とする。
【００１５】
【発明の実施の形態】
図１に基づいて本発明のショートアーク型放電ランプを説明する。
発光管１１の内部に一対の陽極２１と陰極２２が配置されており、発光管１１の両側には側管部１２が続き、側管部１２の端部には陽極２１と陰極２２に電気的に繋がる口金４１、４２が形成されている。そして、発光管１１の外表面には、トリガーワイヤー３が配設されている。
【００１６】
トリガーワイヤー３は、その一部を一回転させ、発光管１１の最大外径Ｄより小径の発光管１１の外表面に接触し係止固定される環状部３１が形成されている。
この環状部３１に続きランプの長手方向に伸びる一方の張渡部３２ａと他方の張渡部３２ｂが形成され、この張渡部３２ａ、３２ｂに続き、側管部１２に巻き回してトリガーワイヤー３を固定する固定部３３が形成されている。そして、固定部３３に続き口金４２に接続固定される接続部３４を有するものである。
このランプは、陰極２２に高電圧が印加され、発光管１１の外表面に形成された環状部３１と発光管１１内の陽極２１との間で絶縁破壊が起こり、ランプが点灯するものである。
【００１７】
トリガーワイヤー３について詳細に説明する。
図２はトリガーワイヤー３のみ取り出した斜視図であり、トリガーワイヤー３は、ステンレス製の直径０．５ｍｍの１本の線状部材を発光管１１の形状や側管部１２の形状に適合するように屈曲して形成されたものであり、発光管に取り付ける前の状態で、既に所定の形状に屈曲して整形されている。
【００１８】
図２（イ）に示すように、トリガーワイヤー３の環状部３１は、トリガーワイヤー３となる１本の線状部材の一部を一回転以上させ、発光管に取り付ける前の状態で、図１に示す発光管１１の最大外径Ｄより小径ｄとなるように形成されている。
この環状部３１の一端側に発光管１１の管軸方向に伸びる一方の張渡部３２ａが繋がり、環状部３１の他端側に発光管１１の管軸方向に伸びる他方の張渡部３２ｂが繋がっており、環状部３１は従来のトリガーワイヤーの切れ目がない環状部とは異なり、環状部３１の両端側が繋がっていない構造になっている。
【００１９】
トリガーワイヤー３を発光管１１の外表面に取り付ける場合、環状部３１の両端側が繋がっておらず、両端側には一方の張渡部３２ａと他方の張渡部３２ｂが個別に独立して繋がっている状態であるので、図２（ロ）に示すように、環状部３１は、弾性的に変形して環状部３１の径がｄ’と大きくなるように広がるものである。
【００２０】
図３は、発光管の最大径より大きな径を有する口金が取り付けられたショーアーク型ランプにトリガーワイヤーを取り付ける説明図である。
このランプでは、陰極２２に点灯時の高電圧が印加されるものであり、陽極２１の近傍の発光管１１外表面にトリガーワイヤーの環状部３１を位置させる必要があるランプである。
図３（イ）に示すように、このランプは、発光管１１の最大径Ｄより大きな径Ｄ’となっている取付部４１ａを有する口金４１が設けられている。
トリガーワイヤー３は、図３（ロ）に示すように、発光管１１に取り付ける前に、予め素手や工具で強制的にトリガーワイヤー３の環状部３１の径が大きくなるように広げ、その径ｄ’を取付部４１の径Ｄ’より大きくしておく。
【００２１】
次に、この状態で、図３（ハ）に示すように、口金４１の方向から環状部３１を挿入する。
その後、環状部３１が取付部４１ａを通過した段階で、環状部３１の径を広げていた力を開放することにより、環状部３１の弾性力により、自然に環状部３１の径を発光管１１の最大外径Ｄより小さくすることができる。その結果、図３（ニ）に示すように、トリガーワイヤー３は、環状部３１が発光管１１の外表面に接触して係止固定される。次に、発光管１１の長手方向に沿って張渡部３２が配設し、側管部１２に固定部３３を巻き回して固定し、口金４２に接続部３４を接続して固定する。
【００２２】
なお、図３に示す方法とは異なり、図３に示す口金４２に環状部３１を挿入してトリガーワイヤーを取り付けることもできる。
この場合、予め、前述したとおり、整形されたトリガーワイヤー３の環状部３１の径を発光管１１の最大径部を通過するように広げておき、さらに、環状部３１が発光管１１の最大径部を通過した後は、環状部３１を広げている力を開放することにより、発光管１１の外径に合致するように環状部３１の径が小さくなり、発光管１１の外表面に環状部３１を配設するものである。
【００２３】
なお、上述した取付方法は、陰極２２に点灯時の高電圧が印加されるランプの場合であり、陽極２１の近傍の発光管１１の外表面にトリガーワイヤー３の環状部３１を位置させることについて説明したが、逆に陽極２１に点灯時の高電圧が印加されるランプの場合では、陰極２２の近傍の発光管１１の外表面にトリガーワイヤーの環状部３１を位置させる必要がある。
この場合、環状部３１の配設位置が陰極２２の近傍の発光管１１の外表面になるだけで、上述した取付方法と同じである。
つまり、発光管１１の最大外径より大きな径の口金を有するランプであってもトリガーワイヤーを配設することができ、しかも、点灯時に高電圧が印加される電極の方向性に適した状態でトリガーワイヤーを配設することができる。
【００２４】
また、トリガーワイヤー３は、環状部３１が発光管１１の外表面に接触して、係止固定されているので、発光管１１に排気管残部がないランプであっても確実にトリガーワイヤー３を発光管１１の表面に配設することができる。
【００２５】
さらには、トリガーワイヤー３となる１本の線状部材を発光管１１の外表面で工具を用いて屈曲させて取り付ける方法ではなく、予めトリガーワーヤー３を発光管１１に取り付ける前の段階で一定形状に整形して、その後、トリガーワイヤー３をランプに取り付けることができるので、発光管１１の外表面に工具による傷が発生することがない。
【００２６】
【発明の効果】
以上説明したように、本発明のショートアーク型放電ランプによれば、発光管の最大外径より大きな径の口金を有するランプであってもトリガーワイヤーを配設することができ、しかも、点灯時に高電圧が印加される電極の方向性に適した状態でトリガーワイヤーを配設することができ、さらに、発光管に排気管残部がなくても発光管にトリガーワイヤーを最適な位置に配設することができ、トリガーワイヤーを発光管に取り付ける際に発光管が傷つくことがない。
【図面の簡単な説明】
【図１】本発明のショートアーク型放電ランプの説明図である。
【図２】本発明のショートアーク型放電ランプに配設されたトリガーワイヤーの説明図である。
【図３】本発明のショートアーク型放電ランプであって、トリガーワイヤーの取り付け方法説明図である。
【図４】従来のショートアーク型放電ランプの説明図である。
【図５】従来のショートアーク型放電ランプに配設されたトリガーワイヤーの説明図である。
【図６】従来のショートアーク型放電ランプの説明図である。
【図７】口金に取付部を有する従来のショートアーク型放電ランプの説明図である。
【図８】従来のショートアーク型放電ランプであって、トリガーワイヤーの配設状態が不適切な場合の説明図である。
【符号の説明】
１１        発光管
１２        側管部
２１        陽極
２２        陰極
３          トリガーワイヤー
３１        環状部
４１        口金
４２        口金
【図１】
0003671869.tif 000002
【図２】
0003671869.tif 000003
【図３】
0003671869.tif 000004
【図４】
0003671869.tif 000005
【図５】
0003671869.tif 000006
【図６】
0003671869.tif 000007
【図７】
0003671869.tif 000008
【図８】
0003671869.tif 000009